(57)【特許請求の範囲】
【請求項１】
１つの対向縁を有する細長いアーチバー本体と、前記対向縁に沿って間隔を置いて配置された、複数の間隙によって離された複数のタブ部材と、前記アーチバー本体に配置された複数のワイヤ保持突起部材とを含むアーチバーと、ここで前記複数のタブ部材と前記複数の間隙は、前記複数のワイヤ保持突起部材の間に配置され、
取付プレート本体と、該本体に配置されたねじを受ける開口部と、結合部とを備えた、前記アーチバー本体に配置された取付プレート部材と、ここで前記取付プレート部材は、前記アーチバー本体に沿って横方向に移動可能であり、
を含み、前記結合部は、曲がった中央部と、該曲がった中央部に配置された２つの脚部を定めるスロットと、端部と、空きスペースとを含み、前記結合部は前記空きスペース内に前記アーチバー本体を受け入れるように構成され、
それぞれの前記取付プレート部材は、前記複数のワイヤ保持突起部材の間に配置された前記複数のタブ部材の１つが、前記取付プレート部材の前記スロット内に受け入れられ、前記取付プレート部材の前記脚部が、前記複数のワイヤ保持突起部材の間に配置された前記複数の前記間隙の中の隣接する前記間隙内に受け入れられるようにして、隣接する前記複数のワイヤ保持突起部材の間の複数の位置の１つで前記アーチバー本体に配置されるように構成され、
前記結合部の前記空きスペースの上下方向の長さは、前記取付プレート部材が前記アーチバー本体の前記対向縁の方向に移動された状態で前記脚部が前記間隙を越えた位置にされて、前記取付プレート部材が前記アーチバー本体に沿って横方向に移動できるように、前記タブ部材の１つを含む場所における前記アーチバー本体の上下方向の長さよりも長い、上下顎固定装置。
【請求項２】
前記タブ部材、前記スロット、前記脚部、及び前記間隙は、前記取付プレート部材の前記結合部が前記タブ部材及び前記間隙と係合した際に、前記アーチバー本体に対する前記取付プレート部材の回転又は横方向の面内での動きを妨げるような大きさである、請求項１に記載の装置。
【請求項３】
前記タブ部材は２つの側面を含み、前記タブ部材は、前記２つの側面が平行であるようにして、構成が実質的に長方形である、請求項１に記載の装置。
【請求項４】
前記スロットが、前記アーチバー本体の長手方向において一定の幅である、請求項１に記載の装置。
【請求項５】
前記結合部の前記端部は、前記取付プレート部材の前記本体に固定されている、請求項１に記載の装置。
【請求項６】
前記結合部の前記端部は、前記取付プレート部材の前記本体に固定されていない、請求項１に記載の装置。
【請求項７】
前記アーチバー本体から突出した一対の中心部停止部材を更に備え、該一対の中心部停止部材の間に前記複数のタブ部材での中心のタブ部材及びその両側に隣接する２つの間隙を備え、前記一対の中心停止部材の間に配置された１つの前記取付プレート部材の横方向の動きを妨げるように、前記一対の中心部停止部材は前記中心のタブ部材よりも長い、請求項１に記載の装置。
【請求項８】
前記アーチバーは端部停止部材を更に備え、該端部停止部材は、前記取付プレート部材が前記アーチバー本体に保持されるように前記タブ部材よりも長い、請求項１に記載の装置。
【請求項９】
１つの対向縁を有する細長いアーチバー本体と、前記対向縁に沿って間隔を置いて配置された、複数の間隙によって離された複数のタブ部材と、前記アーチバー本体に配置された複数のワイヤ保持突起部材とを含むアーチバーと、
取付プレート本体と、該本体に配置されたねじを受ける開口部と、結合部とを備えた、前記アーチバー本体に配置された取付プレート部材と
を含み、前記結合部は、曲がった中央部と、該曲がった中央部に配置された２つの脚部を定めるスロットと、端部と、空きスペースとを含み、
それぞれの前記取付プレート部材は、前記アーチバー本体に対して係合位置を取るように構成され、そこでは前記アーチバー本体に対する前記取付プレート部材の横方向の動きが妨げられるようにして、前記タブ部材の一つが前記取付プレート部材の前記スロット内に受け入れられ、前記結合部のそれぞれの前記脚部が、前記スロット内に受け入れられた前記タブ部材に隣接しかつ別の前記タブ部材によって区切られた前記間隙の一つに受け入れられ、
それぞれの前記取付プレート部材は、前記アーチバー本体に対して自由な位置を取るようにも構成され、そこでは前記取付プレート部材の前記アーチバー本体に対する横方向の動きは妨げられず、前記取付プレート部材は前記脚部が前記間隙から外されるようにして前記対向縁の方向に移動される、上下顎固定装置。
【請求項１０】
前記結合部の前記空きスペースの上下方向の長さは、前記タブ部材の１つを含む場所における前記アーチバー本体の上下方向の長さよりも長い、請求項９に記載の装置。
【請求項１１】
前記タブ部材、前記スロット、前記脚部、及び前記間隙は、前記取付プレート部材の前記結合部が前記タブ部材及び前記間隙と係合した際に、前記アーチバー本体に対する前記取付プレート部材の回転又は横方向の面内での動きを妨げるような大きさである、請求項９に記載の装置。
【請求項１２】
前記タブ部材は２つの側面を含み、前記タブ部材は、前記２つの側面が平行であるようにして、構成が実質的に長方形である、請求項９に記載の装置。
【請求項１３】
前記スロットが前記アーチバー本体の長手方向において一定の幅である、請求項９に記載の装置。
【請求項１４】
前記結合部の前記端部は、前記取付プレート部材の前記本体に固定されている、請求項９に記載の装置。
【請求項１５】
前記結合部の前記端部は、前記取付プレート部材の前記本体に固定されていない、請求項９に記載の装置。
【請求項１６】
前記アーチバー本体から突出した一対の中心部停止部材を更に備え、該一対の中心部停止部材の間に前記複数のタブ部材での中心のタブ部材及びその両側に隣接する２つの間隙を備え、前記一対の中心停止部材の間に配置された１つの前記取付プレート部材の横方向の動きを妨げるように、前記一対の中心部停止部材は前記中心のタブ部材よりも長い、請求項９に記載の装置。
【請求項１７】
前記アーチバーは端部停止部材を更に備え、該端部停止部材は、前記取付プレート部材が前記アーチバー本体に保持されるように前記タブ部材よりも長い、請求項９に記載の装置。
【発明の詳細な説明】
【技術分野】
【０００１】
本出願は、概して上下顎固定（ＭＭＦ）装置として知られる医療機器の分野に関し、より具体的には患者の上顎又は下顎への固定に適したアーチバーを含むそのようなＭＭＦ装置に関し、各アーチバーはフック、ボタン又は同様の突起を持ち、これにより一対のアーチバーは、上下の顎を閉じた位置に固定するために互いに接続され、通常は対向するフックの間に巻き付けられて延びるワイヤによって互いに接続される。
【背景技術】
【０００２】
いくつかの治療では、ＭＭＦアーチバーは巻いたワイヤを使用して歯に取り付けられる。他の治療では、ＭＭＦアーチバーは、骨ねじなどの機械的な留め具によって上顎又は下顎の骨組織に固定される。このような状況では、骨ねじが歯根に当たらないことが重要である。そのようなＭＭＦアーチバーの初期の実施形態は、アーチバーに沿って間隔を置いた配置で固定されたねじを受ける開口部を使用し、それは歯根に位置するために特定の開口部が使用できない状況をしばしばもたらした。その後の実施形態では、可鍛性のステムに開口部を設け、ステムを曲げることにより開口部の位置を変えることができるようにすることでこれに対処した。開口部の位置を調整するためにステムを曲げると、望ましくない面外の湾曲をもたらし、顎を閉めるためにアーチワイヤを締めると、アーチバーの安全性を弱める。他の実施形態は、例えばアーチバーに沿って移動して、止めネジでアーチバーに機械的に固定されることができる、取り付けアセンブリでの取り付け開口部を提供する。この構造の問題は、締結要素が時間と共に緩む可能性があることである。
【発明の概要】
【発明が解決しようとする課題】
【０００３】
本発明の目的は、剛性、強度、及び固定を犠牲にすることなく、歯根を避けるために、ねじを受ける開口部を含む取付プレート部材のアーチバーに沿った移動又は再配置を可能にするＭＭＦ装置を提供することである。
【課題を解決するための手段】
【０００４】
様々な実施形態における本発明は、機械的な留め具を使用して患者の下顎骨／下顎又は上顎骨／上顎のいずれかに取り付けるように構成された上下顎固定（ＭＭＦ）装置であり、そのＭＭＦ装置は、上顎に配置された１つのＭＭＦ装置と下顎に配置された他のＭＭＦ装置とが一対で使用される。対向するＭＭＦ装置は、閉じた位置で顎を固定又は締め付けるように、ワイヤ締め具などによって互いに固定又は接続されるように構成される。
【０００５】
各ＭＭＦ装置は、フックやボタンなどのワイヤ保持突起部材と、使用の際に対向するアーチバーと向かい合うアーチバーの端であるアーチバーの一端に沿って配置された間隙、空間、ノッチなど（以下、まとめて「間隙」と呼ぶ。）で区切られた、間隔を置いて配置された複数のタブ、歯、アンカーなどとを備えた細長いアーチバーを含む。ＭＭＦ装置は、複数の取付プレート部材を更に備え、各取付プレート部材は、本体と、ねじを受ける開口部と、スロットが形成された曲がった中央部を備えた結合部とを含み、結合部はアーチバーを取り囲むように構成される。曲がった中央部のスロットには、一対の脚部が隣接している。スロットは、アーチバーのタブ部材がスロット内に受け入れられることができる大きさにされ、そして曲がった中央部の脚部は、そのタブ部材の両側のアーチバーの間隙に嵌まる。ＭＭＦ装置を患者に取り付ける時に、ねじを受ける開口部への骨ねじ又は他の機械的な留め具の挿入が、歯根に衝撃を与えたり悪影響を及ぼしたりしないように、結合部は、スロットの方向に取付プレート部材を移動することにより、脚部がタブ部材の端部を通り抜け、それにより取付プレート部材がアーチバーに沿って選択された位置に横方向に移動できるような空きスペースをもたらす大きさにされ、そこで取付プレート部材はねじを受ける開口部の方向に移動されて、所望のアーチバーのタブに結合される。
【図面の簡単な説明】
【０００６】
【図１】本発明の代表的な実施形態の正面図である。
【図２】図１の実施形態の部分的な背面斜視図である。
【図３】図１の実施形態の部分的な正面斜視図である。
【図４】図１の実施形態の端面図である。
【図５】図１の実施形態の部分的な背面図である。
【図６】図１の実施形態の部分的な正面図である。
【図７】本発明の別の実施形態の正面図であり、上顎へ取り付ける向きで示されている。
【図８】本発明の更に別の実施形態の正面図であり、下顎へ取り付ける向きで前図から反転して示されている。
【図９】図８の実施形態の端面図である。
【図１０】図７及び図８に示された取付プレート部材の正面図である。
【発明を実施するための形態】
【０００７】
図面を参照すると、本発明は、骨ねじなどの機械的な留め具（図示せず）を使用して患者の下顎骨／下顎又は上顎骨／上顎のいずれかに取り付けられるように構成された上下顎固定（ＭＭＦ）装置１０が様々な実施形態で示されている。図面は、本発明の実施を可能にするために必要とされる例示かつ説明の目的で提供されており、本発明の範囲を限定することを意図しない。ＭＭＦ装置１０は対で使用され、一方のＭＭＦ装置１０は上顎に配置され、他方のＭＭＦ装置１０は下顎に逆さに配置される。これらの対向するＭＭＦ装置１０は、閉じた位置で顎を固定又は締め付けるように、ワイヤ締め具などによって互いに固定又は接続されるように構成される。
【０００８】
各ＭＭＦ装置１０は、細長い本体１２と、端部１３と、前面１５と、後面１６と、対向縁１４とを備えたアーチバー１１を含む。アーチバー１１は、図面では直線状で示されるが、使用ではアーチバー１１が固定される下顎又は上顎の形状に適合するようにして、本体１２は曲げられる。アーチバー１１は、本体１２に接続された取付プレート部材２０のねじを受ける開口部２２を通って延びる機械的な留め具を使用して患者の骨に間接的に固定又は取り付けられるように構成され、機械的な留め具は組織を通って骨に打ち込まれる。アーチバー１１は、前面１５及び後面１６を備え、本明細書における使用での用語「前」又はその変化形は、組織から離れる方向に面した構成要素の側を指し、本明細書における使用での用語「後」又はその変化形はその反対側を指し、ＭＭＦ装置１０が患者に取り付けられる時に組織に面するか又は隣接する構成要素の側を指す。アーチバー１１の対向縁１４は、ＭＭＦ装置が患者に取り付けられた時に、対向するＭＭＦ装置１０に面するか又は対向するＭＭＦ装置１０に向けられるアーチバー１１の縁を指すものとする。フック、ボタンなどのワイヤ保持突起部材１７は、横方向に間隔を置いた位置でアーチバー１１の本体１２から延びている。図面に示されるように、対向縁１４を越えて延びるＪ形フックを含むワイヤ保持突起部材１７の場合、フック１７の自由端は対向縁１４の自由端と反対方向に延び、それは上顎に取り付けられたアーチバー１１については上方向であり、下顎に取り付けられたアーチバー１１については下方向となる。このようにして、上顎に取り付けられたＭＭＦ装置１０については、対向縁１４は下顎に向かって延びる一方で、フック１７の自由端は下顎から離れる方向に延びる。下顎に取り付けられたＭＭＦ装置１０については、対向縁１４は上顎に向かって延びる一方で、フック１７の自由端は上顎から離れる方向に延びる。ワイヤが下顎のＭＭＦ装置１０のフック１７と上顎のＭＭＦ装置１０のフック１７の周りに巻かれて強く引っ張って固定されると、ワイヤが上顎と下顎の分離を防ぐ。
【０００９】
間隙、空間、ノッチなど１９（以下、まとめて「間隙」と呼ぶ）に隣接した、間隔を置いて配置された複数のタブ部材、歯、アンカーなど１８（以下、まとめて「タブ」又は「タブ部材」と呼ぶ）は、アーチバー本体１２の対向縁１４に沿って横方向に分布する。本明細書で使用される用語「横方向」又はその変化形は、アーチバー本体１２に沿った長手方向を指す。タブ部材１８は、好ましくは等間隔及び等しい大きさであり、好ましくは面取りした又は丸い角と、平行な側面とを備えた実質的に正方形又は長方形の構成を有する。間隙１９は、好ましくは等間隔及び等しい大きさであり、好ましくは平行な側面を備えた実質的に正方形又は長方形の構成を有する。タブ部材１９の位置は、アーチバー１１に沿った取付プレート２０の可能な固定位置を定める。
【００１０】
ＭＭＦ装置１０は、複数の取付プレート部材２０を更に備え、各取付プレート部材２０は、本体２１と、本体２１に配置されたねじを受ける開口部２２と、本体１１から延びてアーチバー１１の本体１２の一部を取り囲む又は保持するような大きさ及び構造にされた結合部２５とを含み、結合部２５は、アーチバー本体１２の前面１５、対向縁１４及び後面１６を覆って延びる。本体２１の形状は変えることができ、いくつかの可能性のある構成が示されている。好ましくは、すべての取付プレート部材２０の構成は、特定のＭＭＦ装置１０については同じである。本体２１は、取付プレート部材の本体２１の曲げ、アーチ状の曲げ又は他の変形が生じるようにして、比較的幅が広くて、アーチバー１１まで延びることが好ましい。取付プレート部材２０は、ＭＭＦ装置１０が患者に取り付けられた時に組織から離れる方向に面する前面２３と、組織に面するか又は当接する後面２４とを有する。ねじを受ける開口部２２には、ねじ頭をより良好に受けるために、面取りされた縁部を備えることができる。
【００１１】
取付プレート部材２０の結合部２５は、ねじを受ける開口部２２から離れる方向で本体２１から延び、曲がった中央部２６と端部２７とを備え、結合部２５は横方向断面がほぼＵ字形であり、非常に制限された前方向又は後方向の移動範囲でアーチバー本体１１をしっかりと受け入れるような構成及び寸法にされる。端部２７は、好ましくは取付プレート部材の本体２１の前面２３に当接する。端部２７は、溶接、結合などの方法によって本体２１に固定されてもよく、又は本体２１に固定されなくてもよく、その場合には取付プレート部材２０がアーチバー１１に留められたり、取付プレート部材２０を切断する必要なしにアーチバー１１から取り外されたりできるように、取付プレート部材２０の結合部２５は、クリップを定めるための制限された弾性で弾性的に曲げることができる比較的剛性の材料から形成されることができる。
【００１２】
スロット又は同様の開口部２８は、結合部２５の曲がった中央部２６に配置され、一対の脚部２９を定める。曲がった中央部２６のスロット２８は、タブ部材１８の横方向寸法よりも大きい横方向寸法を有する大きさにされる。これにより、アーチバーのタブ部材１８をスロット２８に配置し、そしてタブ部材１８の両側に位置するアーチバーの間隙１９に曲がった中間部２６の脚部２９を嵌め込むことができる。
【００１３】
図４に最もよく示されているように、結合部２５の長さは、タブ部材１８を含むアーチバー本体１２の位置で測られて、アーチバー本体１２の上下の長さ又は寸法よりも上下方向の長さ又は寸法が大きく、内部の空きスペース３１が作られるようにして選択される。この構造により、取付プレート部材２０は、曲がった中央部２６の脚部２９がタブ部材１８を越えて移動する、すなわち脚部２９のどの部分もアーチバーの間隙１９に残らないようにして、アーチバー本体１２の対向縁１４の方向、すなわち上顎のＭＭＦ装置１０の下方向及び下顎のＭＭＦ装置１０の上方向に移動することができる。これにより、脚部２９がタブ部材１８の下又は上を通過することにより、取付プレート部材２０をアーチバー本体１２に沿って横方向に移動させることができる。所望の位置が決まったら、曲がった中央部２６が選択されたタブ部材１８に設置され、そこでは脚部２９が隣接する間隙１９にあるようにして、取付プレート部材２０は反対方向、すなわち対向縁１４から離れる方向に移動される。これによれば、ＭＭＦ装置１０が患者に取り付けられた時にねじを受ける開口部２２が歯根に配置されないようにして、取付プレート部材２０がアーチバー１１に沿って再配置されることができる。
【００１４】
別の方法で説明すると、それぞれの取付プレート部材２０は、アーチバー本体１２に対して第１の又は係合位置を取り、そこでは結合部２５は、アーチバー本体１２に固定されて係合又は結合し、脚部２９はタブ部材１８を取り囲み、各脚部２９はその隣接する間隙１９に配置され、各脚部２９は、アーチバー本体１２に沿った横方向の動きを妨げるようにして、外側に位置するタブ部材１８と隣接する。各取付プレート部材２０は、アーチバー本体１２に対して第２の又は拘束されない位置を取るように移動されることができ、そこでは結合部２５は、アーチバー本体１２に固定して係合又は結合されず、代わりにアーチバー本体１２に沿って横方向に移動可能である。この横方向の移動は、拘束されない位置では取付プレート部材２０がアーチバー本体１２の対向縁１４へ向かう方向に移動されることで可能となり、結合部の空きスペース３１の大きさ及び構造は、結合部の脚部２９がタブ部材１８を越えて移動するのに十分である。
【００１５】
ワイヤ保持突起部材１７は、アーチバー本体１２をセグメントに分け、それにより取付プレート部材２０の横方向の動きは、隣接するワイヤ保持突起部材１７によって制限される。図に示される好ましい実施形態では、隣接するワイヤ保持突起部材１７によって規定される各セグメントには、１つの取付プレート部材２０がある。あるいは、一方で、隣接するワイヤ保持突起部材１７によって規定される１つのセグメントが、複数の取付プレート部材２０を含んでも、又は取付プレート部材２０を含まなくてもよい。
【００１６】
好ましくは、本体１２には、最も外側の取付プレート部材２０をアーチバー１１の本体１２に保持する一対の延ばされた端部停止部材３２が備えられ、取付プレート部材２０が異なるタブ部材１８に再配置されるために上下方向に移動した場合でも、最も外側の取付プレート部材２０の脚部２９の横方向の動きを妨げるのに十分な長さであるように、端部停止部材３２はタブ部材１８よりも長い。
【００１７】
好ましくは、アーチバー１１のタブ部材１８及び間隙１９、並びに取付プレート部材２０のスロット２８及び脚部２９は、タブ部材１８がスロット２８に受け入れられて、脚部２９が隣接するギャップ１９に配置された時に、面内の角運動又は横方向運動が取付プレート部材２０とアーチバー１１の間で起きないか又は制限されるような大きさにされる。言い換えると、スロット２８の幅はタブ部材１８の幅よりもわずかに大きいだけであり、各間隙１９の幅は、スロット２８の両側の曲がった中間部２６の脚部２９の幅よりもわずかに大きいだけである。この構造は、取付プレート部材２０とアーチバー１１の間に確実な固定又は嵌合関係をもたらし、それによりアーチバー本体１２での横方向への取付プレート部材２０の角度、スライド、又は旋回運動が起きないようにされるか又は極めて制限される。
【００１８】
その関係を説明する別の方法によれば、タブ部材１８はスロット２８と係合し、２つの脚部２９はタブ部材１８に隣接する間隙１９と係合し、隣接する間隙１９から外側に位置する各タブ部材１８の近い側が、スロット２８に配置された真ん中のタブ部材１８と共に作用して、アーチバー本体１２での面内の角度方向又は横方向での脚部２９の動きを制限する。従って、３つの隣接するタブ部材１８の組み合わせが、アーチバー本体１２に対する面内の角度方向又は横方向での、間隙１９に脚部２９を嵌合又は係合させた取付プレート部材２０の動きを制限又は起きないようにする。
【００１９】
ＭＭＦ装置１０の第１の実施形態を図１〜図６に示す。この実施形態では、取付プレート部材２０の本体２１は、スロット２８及び脚部２９のそれぞれが横方向（アーチバー本体１２の長手方向に対応する）で一定の幅を有するように、結合部２５への移行領域で先細になる。したがって、端部２７へ延びる結合部２５の前部は、本体の幅よりも幅が狭い。
【００２０】
図７〜１０に示されるように、取付プレート部材２０の第２の実施形態では、スロット２８によって定められる脚部２９が、ねじを受ける開口部２２に向かう方向において更に延びるようにし、スロット２８は、ねじを受ける開口部２２に向かう方向において横方向に広がる。このようにして、取付プレート部材２０の本体２１は、結合部２５の脚部２９に直接移行する。
【００２１】
図７は、１つ又は複数の中心表示３４を備えたＭＭＦ装置１０の実施形態を示し、ここではアーチバー１１の本体１２に刻まれた又は印刷された一対の矢印として示されている。この実施形態では、中心に配置されたプレート部材２０は、ねじを受ける開口部２２を通って骨ねじを安全に挿入するための適切な位置を提供する必要に応じて、隣接するワイヤ受け突起部材１７の間に位置するタブ部材１８のいずれかに横方向に移動可能である。図８に示される別の実施形態では、中心部は、一対の中心部停止部材３３によって定められる。２つの中心部停止部材３３は、２つの間隙１９と１つの中心のタブ部材１８によって離され、中心部停止部材３３は、中心の取付プレート部材２０の横方向の移動が制限されるように、中心のタブ部材１８よりも長い。
【００２２】
治療を行うために、外科医は適切な大きさのアーチバー１１を選択するか、又は標準的な大きさのアーチバー１１を適切な長さに切断し、そして患者の下顎又は上顎の曲率に一致するように必要によりアーチバー１１を所望の曲率に曲げる。患者の正中部が定められて、アーチバー１１が上顎又は下顎の周りに合わされる。次に、中心の取付プレート部材２０のねじを受ける開口部２２に骨ねじを通すことにより、中心の取付プレート部材２０を患者に固定する。残りの取付プレート部材２０は、歯根への損傷を避けるために所望の位置へアーチバー１１に沿って横方向に移動又はスライドされ、ねじを受ける開口部２２を通って骨ねじが患者の組織及び骨に通され、それによってＭＭＦ装置１０を適切な位置に固定する。次に、第２のＭＭＦ装置１０を患者に取り付けるために、同じ手順が続く。その後に、それらのＭＭＦ装置１０が一緒にされて、患者の下顎と上顎が閉じた状態で締め付けられて１つに固定されるようにして、相互接続ワイヤ又は同様の部材が一方のＭＭＦ装置１０から他方のＭＭＦ装置１０に渡されて、ワイヤがワイヤ保持突起１７に固定される。顎を迅速に開く必要がある場合には、ワイヤは簡単に切断される。骨ねじを外すことにより、ＭＭＦ装置１０は完全に取り外される。
【００２３】
上記の特定の構成要素の均等物及び代替物は当業者には明らかであり、したがって、本発明の本来の範囲及び定義は、特許請求の範囲に示されるとおりであることが理解される。
【符号の説明】
【００２４】
１０    上下顎固定（ＭＭＦ）装置
１１    アーチバー
１２    アーチバーの本体
１３    アーチバーの端部
１４    アーチバーの対向縁
１５    アーチバーの前面
１６    アーチバーの前面
１７    アーチバーのワイヤ保持突起部材、フック
１８    アーチバーのタブ、タブ部材
１９    アーチバーの間隙
２０    取付プレート部材
２１    取付プレート部材の本体
２２    取付プレート部材のねじを受ける開口部
２３    取付プレート部材の前面
２４    取付プレート部材の後面
２５    取付プレート部材の結合部
２６    取付プレート部材の中央部
２７    取付プレート部材の端部
２８    取付プレート部材のスロット又は同様の開口部
２９    取付プレート部材の脚部
３１    空きスペース
３２    端部停止部材
３３    中心部停止部材
３４    中心表示
【図１】
0006916908.tif 000002
【図２】
0006916908.tif 000003
【図３】
0006916908.tif 000004
【図４】
0006916908.tif 000005
【図５】
0006916908.tif 000006
【図６】
0006916908.tif 000007
【図７】
0006916908.tif 000008
【図８】
0006916908.tif 000009
【図９】
0006916908.tif 000010
【図１０】
0006916908.tif 000011